(57)【要約】【課題】  より安定して輝度ムラを抑制可能な光制御板、面光源装置及びその面光源装置を利用した透過型画像表示装置を提供する。【解決手段】  透過型画像表示装置１の面光源装置２０が備える光拡散板４０は、複数の光源３１に対して配置されている。光制御板４０は、平坦な出射面４１と出射面と反対側に設けられ、延在方向に略直交する方向に並列配置された複数の線状のプリズム部４２とを有する。プリズム部４２は、光源側に凸であり、各プリズム部４２は、出射面の法線Ｎ方向となす角度が、プリズム部４２の裾側において先端部側より小さくなっていると共に、先端部側でプリズム頂角を形成する一対の側面を有する。プリズム頂角は、プリズム部４２が複数の光源のうち隣接する２光源間の中央部に位置するとした場合に、プリズム部４２の先端部に入射した光源からの光の少なくとも一部がプリズム部４２内で出射面方向に全反射する角度となっている。【選択図】  図３
2010139700.tif 000002
【特許請求の範囲】
【請求項１】
第１の方向に並列配置された複数の光源に対して離間して配置される光制御板であって、
略平坦な出射面と、
前記出射面と反対側に設けられ、前記第１の方向及び前記出射面の法線方向に略直交する第２の方向に延在しており前記第１の方向に並列配置された複数のプリズム部と、
を有し、
複数の前記プリズム部は、複数の前記光源側に凸であり、
複数の前記プリズム部の各々は、前記法線方向となす角度が、前記プリズム部の裾側において該プリズム部の先端部側より小さくなっている一対の側面を有しており、
一対の前記側面で形成される前記プリズム部のプリズム頂角は、前記プリズム部が複数の前記光源のうち隣接する２光源間の中央部上に位置するとした場合に、前記プリズム部の先端部に入射した前記光源からの光の少なくとも一部が前記プリズム部内で前記出射面側に全反射する角度である、
ことを特徴とする光制御板。
【請求項２】
一対の前記側面の各々は、
前記先端部側に位置する第１の平面部と、
前記裾側に位置する第２の平面部と、
を有し、
前記第２の平面部と前記法線方向とのなす角度が、前記第１の平面部と前記法線方向とのなす角度より小さく、
前記プリズム頂角は、前記プリズム部が複数の前記光源のうち隣接する２光源間の中央部上に位置するとした場合に、一対の前記側面のうちの一方の側面の前記第１の平面部に入射した前記光源からの光の少なくとも一部が他方の側面の前記第１の平面部で前記出射面側に全反射される角度である、
ことを特徴とする請求項１に記載の光制御板。
【請求項３】
前記全反射された光は、前記法線方向に伝搬することを特徴とする請求項１又は２に記載の光拡散板。
【請求項４】
略平坦な出射面と、
前記出射面と反対側に、一方向に延在しており前記一方向及び前記出射面の法線方向に略直交する方向に並列配置された複数のプリズム部と、
を有し、
各前記プリズム部は、前記出射面と反対側に向けて凸であって、
各前記プリズム部は、その側面が前記出射面に略直交する方向とのなす角度が先端部側より裾側で小さくなっている、
ことを特徴とする光制御板。
【請求項５】
一対の前記側面の各々は、
前記プリズム部の先端部側に第１の平面部と、
前記プリズム部の裾側に第２の平面部と、
を有し、
前記第２の平面部と前記出射面の法線方向とのなす角度が、前記第１の平面部と前記出射面の法線方向とのなす角度より小さいことを特徴とする請求項４に記載の光制御板。
【請求項６】
第１の方向に並列配置された複数の光源と、
請求項１〜５の何れか一項記載の光制御板と、
を備え、
前記光制御板は、前記光制御板が有する複数の前記プリズム部が、複数の前記光源側に位置すると共に、前記プリズム部の延在方向が前記第１の方向及び前記光制御板が有する前記出射面の法線方向に略直交するように、複数の前記光源に対して離間して配置されている、
ことを特徴とする面光源装置。
【請求項７】
請求項６に記載の面光源装置と、
前記面光源装置が有する前記光制御板の前記出射面上に配置される透過型画像表示部と、
を備え、
前記出射面から出射される光が前記透過型画像表示部に入射される、
ることを特徴とする透過型画像表示装置。
【発明の詳細な説明】
【技術分野】
【０００１】
本発明は、光制御板、面光源装置及び透過型画像表示装置に関するものである。
【背景技術】
【０００２】
液晶表示装置などの透過型画像表示装置では、液晶表示部のバックライトを出力する光源の一例として直下型面光源装置が使用されている。典型的な面光源装置として、光拡散板といった光制御板の背面側に複数の光源を並べたものが利用されている。このような面光源装置では、配置する光源数を増やすことにより発光面を容易に高輝度化できる反面、輝度斉度が低いという問題点がある。特に、光源の真上付近での輝度が高くなるために発生する周期的輝度ムラが問題であるが、面光源装置の薄型化、或いは低消費電力化のための光源数削減化によって上記周期的輝度ムラがより大きな問題となってきている。
【０００３】
そこで、輝度均斉度確保のために、例えば、特許文献１では、光制御板の一例としての光拡散板に光源との距離に対応して光量補正パターンを形成している。同様に、特許文献２では、光拡散板の光源側面の光源真上付近の一部に断面鋸歯状のプリズムを設けることで、光量の多い光源真上付近の光を散らしている。
【特許文献１】特開平６−２７３７６０号公報
【特許文献２】特開２００４−１２７６８０号公報
【発明の開示】
【発明が解決しようとする課題】
【０００４】
しかし、特許文献１の光量補正パターン及び特許文献２の断面鋸歯状プリズムのように、光源位置との距離に依存関係を持たせたバックライト構成では、光拡散板といった光制御板の位置ずれや、熱による変形などによって、輝度均斉度が悪化してしまう。
【０００５】
そこで、本発明は、より安定して輝度ムラを抑制可能な光制御板、面光源装置及びその面光源装置を利用した透過型画像表示装置を提供することを目的とする。
【課題を解決するための手段】
【０００６】
本発明に係る光制御板は、第１の方向に並列配置された複数の光源に対して離間して配置される光制御板であって、略平坦な出射面と、出射面と反対側に設けられ、第１の方向及び出射面の法線方向に略直交する第２の方向に延在しており第１の方向に並列配置された複数のプリズム部と、を有し、複数のプリズム部は、複数の光源側に凸であり、複数のプリズム部の各々は、法線方向となす角度が、プリズム部の裾側においてプリズム部の先端部側より小さくなっている一対の側面を有しており、一対の側面で形成されるプリズム部のプリズム頂角は、プリズム部が複数の光源のうち隣接する２光源間の中央部上に位置するとした場合に、プリズム部の先端部に入射した光源からの光の少なくとも一部がプリズム部内で出射面側に全反射する角度である、ことを特徴とする。
【０００７】
上記構成では、複数の光源から出射された光は複数のプリズム部を通して主に光制御板に入射される。そして、複数の光源のうちの隣接する２光源からの光が、その隣接する２光源の中央部上付近のプリズム部に入射する場合には、プリズム部が有する一対の側面の先端部側からより多く光が入射する。この際、側面への光の入射角は、例えば出射面と反対側にプリズム部がなく平坦な面の場合の入射角より小さいことから、入射時の透過率がより大きくなっている。更に、先端部に入射した光は、全反射により出射面側に向けられる。よって、隣接する２光源の中央部上の付近に伝搬してくる光を効率的に利用して、上記中央部上の付近での光制御板から出射される光量をより多くすることができる。
【０００８】
一方、光源上では、出射面の法線に平行な方向に光が伝搬してくるため、プリズム部の側面のほぼ全面に光が到達することになる。上記構成では、プリズム部の裾側では側面と出射面の法線方向とのなす角度が先端部側よりも小さくなっているため、例えば、プリズム部の側面が、上記法線方向に対して先端部側と同じ角度で一様に傾斜している平面である場合よりも、プリズム部の裾側における光の入射時の透過率が低減している。よって、光源上付近の光制御板の領域から出射される光量が抑制されることになる。
【０００９】
上記のように、隣接する２光源の中央部上の付近では光制御板から出射される光量をより多くする一方、光源上の付近では光制御板から出射される光量を低減しているので、光制御板の出射面での輝度ムラを抑制することができる。そして、本発明に係る光制御板では、各プリズム部が上記構成を有するので、光源に対する光制御板の位置にほとんど依存せずに輝度ムラを抑制できることになる。よって、より安定して輝度ムラの抑制を実現できる。
【００１０】
本発明に係る光制御板では、一対の側面の各々は、先端部側に位置する第１の平面部と、裾側に位置する第２の平面部と、を有し、第２の平面部と法線方向とのなす角度が、第１の平面部と法線方向とのなす角度より小さく、プリズム頂角は、プリズム部が複数の光源のうち隣接する２光源間の中央部上に位置するとした場合に、一対の側面のうちの一方の側面の第１の平面部に入射した光源からの光の少なくとも一部が他方の側面の第１の平面部で出射面側に全反射される角度である、とすることができる。
【００１１】
本発明に係る光制御板では、上記全反射された光は、法線方向に伝搬することが好ましい。この場合、光制御板の出射面への入射角がより小さくなる傾向にあるので、出射面から出射される際の透過率の向上を図ることが可能である。よって、光制御板において、隣接する２光源間の中央部上から出射される光の量を更に向上させることができる。
【００１２】
本発明に係る光制御板は、略平坦な出射面と、出射面と反対側に、一方向に延在しており一方向及び出射面の法線方向に略直交する方向に並列配置された複数のプリズム部と、を有し、各プリズム部は、出射面と反対側に向けて凸であって、各プリズム部は、その側面が出射面に略直交する方向との為す角度が先端部側より裾側で小さくなっている、ことを特徴とするものとすることもできる。
【００１３】
この構成の光制御板では、プリズム部側から光が光制御板に入射され、光制御板内部を光が伝搬して出射面から出射されることになる。そして、出射面の法線方向に平行に伝搬してきた光は、プリズム部の側面を通して主に光制御板に入射される。プリズム部の裾側では側面と出射面の法線方向とのなす角度が先端部側より小さくなっているため、例えば、プリズム部の側面が、上記法線方向に対して先端部側と同様の角度で一様に傾斜している平面である場合よりも、プリズム部の裾側における光の入射時の透過率が低減している。よって、出射面の法線方向に平行に伝搬してきた光に対してプリズム部の裾側からの光の入射が低減することになる。また、プリズム部に向けて出射面の法線方向に対して傾斜して伝搬してくる光は、例えば、プリズム部が形成されておらず光制御板において出射面と反対側の面が平坦な場合よりも、より大きな入射角でプリズム部を介して光制御板に入射することになる。入射角が大きい方が光の透過率は低い傾向にあるので、光源上付近の光制御板の領域から出射される光量が抑制されることになる。
【００１４】
従って、上記構成の光制御板を、第１の方向に並列配置された複数の光源に対して、複数のプリズム部が、複数の光源側に位置すると共に、プリズム部の延在方向が第１の方向及び上記出射面の法線方向に略直交するように配置した場合、光制御板において光源上付近から出射される光の量が抑制されることになる。一方、プリズム部が光源側に位置するように光制御板が配置されるため、隣接する２光源の中央部上の光制御板に対してもプリズム部の側面を介して主に光が光制御板に入射することになる。そして、隣接する２光源の中央部上では、光は出射面の法線方向に対して傾斜して伝搬してくるので、前述したように、伝搬してくる光を効率的に利用できる。その結果、光制御板において、隣接する２光源間の中央部上付近から出射される光の量を向上させることができる。そのため、複数の光源に対して上記のように光制御板を配置した場合、輝度ムラを抑制できることになる。そして、本発明に係る光制御板では、各プリズム部が上記構成を有するので、光源に対する光制御板の位置にほとんど依存せずに輝度ムラを抑制できる。その結果、より安定して輝度ムラの抑制を実現できる。
【００１５】
この本発明に係る光制御板では、一対の側面の各々は、プリズム部の先端部側に第１の平面部と、プリズム部の裾側に第２の平面部と、を有し、第２の平面部と出射面の法線方向とがなす角度が第１の平面部と出射面の法線方向とのなす角度より小さい、とすることができる。
【００１６】
本発明に係る面光源装置は、第１の方向に並列配置された複数の光源と、上記本発明に係る光制御板と、を備え、光制御板は、光制御板が有する複数のプリズム部が、複数の光源側に位置すると共に、プリズム部の延在方向が第１の方向及び光制御板が有する出射面の法線方向に略直交するように複数の光源に対して離間して配置されている、ことを特徴とする。
【００１７】
この面光源装置は、本発明に係る光制御板を備えており、光制御板は、上記のように複数の光源に対して配置されている。その結果、光制御板の出射面から光が出射された場合の輝度ムラが抑制されており、更に、光源に対する光制御板の位置にほとんど依存せずに輝度ムラを抑制できることになる。よって、面光源装置から、安定して輝度ムラの抑制された光を出射することができる。
【００１８】
本発明に係る透過型画像表示装置は、上記本発明に係る面光源装置と、面光源装置が有する光拡散板の出射面上に配置される透過型画像表示部と、を備え、出射面から出射される光が透過型画像表示部に入射される、ことを特徴とする。
【００１９】
この透過型画像表示装置では、上記本発明に係る面光源装置を利用しているため、安定して輝度ムラの抑制された光が透過型画像表示部に入射されることなる。よって、輝度ムラのない画像を安定して表示可能である。
【発明の効果】
【００２０】
本発明よれば、より安定して輝度ムラを抑制可能な光制御板、面光源装置及びその面光源装置を利用した透過型画像表示装置を提供することができる。
【発明を実施するための最良の形態】
【００２１】
以下、図面を参照して本発明の光制御板、面光源装置及び透過型画像表示装置の実施形態について説明する。なお、図面の説明においては同一要素には同一符号を付し、重複する説明を省略する。また、図面の寸法比率は、説明のものと必ずしも一致していない。
【００２２】
図１は、本発明に係る透過型画像表示装置の一実施形態の構成を模式的に示す断面図である。図２は、図１に示した透過型画像表示装置に含まれる面光源装置が有する光拡散板の拡大図である。
【００２３】
透過型画像表示装置１は、液晶表示装置であり、液晶セル１１の上下両面に偏光板１２，１３が積層されてなる透過型画像表示部１０の背面側（下側）に直下型の面光源装置２０が設けられて構成されている。
【００２４】
液晶セル１１，偏光板１２，１３は、従来の液晶表示装置等の透過型画像表示装置１で用いられているものを用いることができる。液晶セル１１としてはＴＦＴ型、ＳＴＮ型等の公知の液晶セルが例示される。
【００２５】
面光源装置２０は、いわゆる直下型面光源装置２０であり、並列配置された複数の光源３１を含む光源部３０を有する。各光源３１は、複数の光源３１の配列方向に直交する方向に延在している線状光源であり、蛍光ランプ（冷陰極線ランプ）のような直管状のものが例示される。複数の光源３１は各光源３１の中心軸線が同一の平面Ｐ１内に位置するように間隔をあけて配置されており、隣接する２光源３１，３１の中心軸線間の距離をＬとした場合、距離Ｌは、例えば１０ｍｍ〜１５０ｍｍである。ここでは、光源３１は線状としたが、ＬＥＤのような点光源などを用いることも可能である。なお、図１中に示した平面Ｐ１は説明の便宜のためであり、仮想的な平面である。
【００２６】
複数の光源３１は、図１に示すように、ランプボックス３２内に配置されていることが好ましく、ランプボックス３２の内面３２ａは、光反射面として形成されていることが好ましい。これにより、各光源３１から出力された光Ｆが透過型画像表示部１０側に確実に出力されるため、各光源３１からの光Ｆを効率的に利用することが可能となるからである。本実施形態では、光源部３０は、上記好ましい構成のランプボックス３２を有するものとして説明する。
【００２７】
面光源装置２０は、光源部３０の前面側（図１中、上側）、すなわち、透過型画像表示部１０側に光源３１に対して離間して配置された光制御板としての光拡散板４０を有している。後述するように、上記光拡散板４０と複数の光源３１との間の離間距離をＤとした場合、離間距離Ｄは、例えば３ｍｍ〜５０ｍｍである。面光源装置２０では、薄型化を図るため、Ｌ／Ｄが２以上であり、好ましくは、Ｌ／Ｄは２．５以上となるように、隣接する２光源３１，３１間の距離Ｌ及び離間距離Ｄが選択されている。
【００２８】
光拡散板４０は、各光源３１の像を透過型画像表示部１０に投影しないために、光源部３０からの光、すなわち、各光源３１からの直接光及びランプボックス３２の内面３２ａで反射した反射光を透過型画像表示部１０に向けて拡散照射するためのものである。光拡散板４０の厚さｄ１は、約２ｍｍが例示される。
【００２９】
光拡散板４０は、透明材料、例えば透明樹脂、透明ガラスからなる。透明樹脂としては、ポリカーボネート樹脂、ＡＢＳ樹脂（アクリロニトリル−スチレン−ブタジエン共重合体樹脂）、メタクリル樹脂、ＭＳ樹脂（メタクリル酸メチル−スチレン共重合体樹脂）、ポリスチレン樹脂、ＡＳ樹脂（アクリロニトリル-スチレン共重合体樹脂）、ポリエチレン、ポリプロピレンなどのポリオレフィン樹脂などが例示される。光拡散板４０中には、液晶表示装置等の透過型画像表示装置で使用される光拡散板に含有される光を拡散させるための拡散剤と同様の拡散剤が適宜添加されているとすることができる。
【００３０】
図１及び図２に示すように、光拡散板４０は、透過型画像表示部１０側に平坦な出射面４１を有すると共に、光源部３０からの光の入射側に並列配置された複数のプリズム部４２を有する。
【００３１】
図２に示すように、各プリズム部４２は、一方向に延在している線状プリズムであり、光源部３０側にプリズム頂部４３を有する。複数のプリズム部４２は、プリズム部４２の延在方向に略直交する方向に光拡散板４０の両側面４０ａ，４０ｂ（図１参照）に渡って並列配置されている。よって、光拡散板４０は、光の入射側に並列配置されると共に、光源部３０に向けて凸である複数の線状プリズムからなる線状プリズム群を有していることになる。
【００３２】
各プリズム部４２の延在方向に直交する各プリズム部４２の断面形状は複数のプリズム部４２間で略同一であり、例えば図２に示すように鋸歯状である。そして、各プリズム部４２のプリズム頂部４３は同一の平面Ｐ２上に位置する。なお、図２中に示した平面Ｐ２は説明の便宜のためであり、仮想的な平面である。本実施形態のように、光源部３０側に凸の各プリズム部４２が形成されている場合、光拡散板４０と複数の光源３１との離間距離Ｄは、各プリズム部４２のプリズム頂部４３を含む平面Ｐ２と、複数の光源３１が並列配置されている平面Ｐ１との間の距離とする。なお、離間距離Ｄ及び隣接２光源３１，３１間の距離Ｌの比であるＬ／Ｄが２以上、好ましくは、２．５以上という条件を満たすように、離間距離Ｄ及距離Ｌが選択されることは上述したとおりである。
【００３３】
上述した構成を有する面光源装置２０では、光源部３０の各光源３１から出力された光は、直接又はライトボックス３２の内面３２ａで反射して光拡散板４０に入射される。光拡散板４０の下側、すなわち、光源部３０側には、複数のプリズム部４２が形成されているため、光源部３０からの光は、プリズム部４２を介して光拡散板４０に入射される。換言すれば、プリズム部４２が有する一対の側面４４ａ，４４ｂが光の入射面として機能している。光拡散板４０に入射された光は、光拡散板４０内に分散された拡散剤により拡散され、出射面４１から透過型画像表示部１０に向けて照射される。この拡散照射により、光源３１の像が透過型画像表示部１０に現れるのを抑制することを図っている。なお、プリズム部４２内への入射により光拡散板４０に伝搬してきた光の経路が後述するように変更されるため、拡散剤は、プリズム部４２には添加されていないことが好ましいが、光の平均自由工程を考慮すれば、プリズム部４２内に添加されていても光の経路変更に対する影響は少ない。
【００３４】
従来も透過型画像表示装置としての例えば液晶表示装置では、直下型面光源装置内の複数の光源から出力された光を、光拡散板を通して透過型画像表示部に拡散照射することで、複数の光源の像の透過型画像表示部への投影を低減することが図られていた。
【００３５】
しかしながら、近年、面光源装置の薄型化にともない、従来、Ｌ／Ｄが１．５程度であったものが、２以上が要求されてきている。この場合、隣接する２光源間の距離に対して光源と光拡散板との距離Ｄがより近くなるため、隣接する２光源間の中央部上には、光源からの光の入射が低下する傾向にある。その結果、隣接２光源間の中央部上よりも光源の真上近傍の方からの輝度が高くなり、周期的な輝度ムラが生じるという問題点があった。
【００３６】
本実施形態における光拡散板４０では、プリズム部４２を図３に例示した形状とすることで、光拡散板４０から光が出射される際に、光源３１上の光量を抑制する一方、隣接する２光源の中央部上での光量の向上を図り、上述した輝度ムラを抑制している。以下、プリズム部４２の構成について詳細に説明する。説明の簡略化のために、図２に示したように、光拡散板４０の出射面４１の法線方向をｙ軸方向とし、ｙ軸方向に直交している方向をｚ軸方向とも称す。ｚ軸方向（第１の方向）は、図２に示すように、プリズム部４２の延在方向（第２の方向）に略直交しており、複数のプリズム部４２が配列されている方向である。
【００３７】
図３は、プリズム部４２の概略構成図であり、一つのプリズム部４２を拡大して示している。図３に示したプリズム部４２の構成は、プリズム部４２の延在方向に沿ってみた場合、換言すれば、延在方向に直交する断面形状が示される方向からみた場合の構成である。
【００３８】
プリズム部４２は、一対の側面４４ａ，４４ｂを有している。この側面４４ａ，４４ｂは、光源部３０からの光の入射面になる。また、一対の側面４４ａ，４４ｂは、プリズム頂部４３をとおる出射面４１の法線Ｎに対して対称である。
【００３９】
各側面４４ａ，４４ｂは、図３に示すように、プリズム頂部４３側から裾側にかけて順に第１の領域４４ａ１，４４ｂ１、第２の領域４４ａ２，４４ｂ２及び第３の領域４４ａ３，４４ｂ３を有する。各領域４４ａ１，４４ｂ１，４４ａ２，４４ｂ２，４４ａ３，４４ｂ３は、略平面であって、それらがそれぞれｙ軸方向とのなす角度β１，β２，β３は、プリズム部４２の先端部側から裾側にかけて小さくなっている。すなわち、プリズム部４２は、裾側で側面４４ａ，４４ｂがより急峻になっている。
【００４０】
一対の側面４４ａ，４４ｂの各々が有する第１の領域４４ａ１，４４ｂ１によりプリズム頂部４３が形成されており、一対の第１の領域４４ａ１，４４ｂ１がなす角度αがプリズム頂角である。また、側面４４ａ，４４ｂの第３の領域４４ａ３，４４ｂ３が、出射面４１と平行な平面となす或いはｚ軸方向となす角度γがプリズム部４２のプリズム底角である。この場合、β１＝０．５αであり、β３＝０．５π−γである。
【００４１】
プリズム頂角αが満たしている条件を、図４を参照して説明する。図４は、プリズム部４２の先端部近傍（図３において一点鎖線で囲んでいる領域Ａ）を拡大した模式図である。図３では説明のために、プリズム部４２が有する一方の側面４４ａにより近い側の光源３１を便宜的に示している。
【００４２】
プリズム頂角αは、プリズム部４２が隣接する２光源３１，３１間の中央部上に位置している場合に、側面４４ａに近い方の光源３１からの光Ｆが第１の領域４４ａ１に入射すると、他方の側面４４ｂの第１の領域４４ｂ１によって出射面４１の法線方向に全反射されるように規定された角度である。すなわち、プリズム部４２を構成する材料の屈折率をｎとし、入射側屈折率をｎ０とし、図４に示すように、光源３１の中心位置から光Ｆの第１の領域４４ａ１への入射位置までのｚ軸方向の距離を近似的にＬ／２とし、ｙ軸方向の距離を近似的にＤとした場合、プリズム頂角αは、下記式（１）を満たす角度である。
【数１】
2010139700.tif 000003
【００４３】
なお、通常、光拡散板４０と光源３１間の媒質は空気であるため、ｎ０＝１である。本実施形態でも、特に断らない限り、ｎ０＝１とする。また、前述したように、プリズム頂角αを規定する際には、プリズム部４２は、隣接する２光源３１，３１間の中央部上に位置していることを仮定している。よって、厳密にはプリズム頂部４３と光源３１との間のｚ軸方向の距離がＬ／２となり、プリズム頂部４３と光源３１とのｙ軸方向の距離がＤとなる。しかしながら、プリズム部４２の大きさ、特に、プリズム頂部４３近傍の大きさは、上記ＬやＤに比べて微小である。よって、図４で示すと共に、上記式（１）から理解されるように、光Ｆの第１の領域４４ａ１への入射位置の光源３１からのｚ軸方向及びｙ軸方向の距離をそれぞれＬ／２及びＤと表しても、誤差は無視できる範囲のものである。
【００４４】
次に、プリズム底角γが満たしている条件を、図５を参照して説明する。図５は、図３に示したプリズム部４２の裾部近傍（図３に示した二点鎖線で囲んだ領域Ｂ）を拡大した模式図である。プリズム底角γが満たす条件は、光源３１の真上近傍において光拡散板４０から照射される光の輝度を低減するためのものであり、プリズム底角γは、ｙ軸に平行な方向に進行してくる光Ｆがプリズム部４２へ入射する時の透過率Ｔが約７０％以下となる角度となっている。より詳細に説明する。
【００４５】
図５に示すように、ｙ軸に平行な方向に伝搬してくる光Ｆが第３の領域４４ａ３を介してプリズム部４２に入射してプリズム部４２内へ出射されるときの出射角をδとする。また、光Ｆの入射時のｓ偏光透過振幅係数及びｐ偏光透過振幅係数をそれぞれｔｓ，ｔｐとする。このとき、プリズム底角γは、以下の関係式（２）を満たしている。
【数２】
2010139700.tif 000004
ただし、δ、ｔｓ、ｔｐは、以下の式（３），式（４），式（５）を満たす。
【数３】
2010139700.tif 000005
【数４】
2010139700.tif 000006
【数５】
2010139700.tif 000007
【００４６】
図３に示したプリズム部４２は、上記式（１）並びに式（２）〜式（５）で示すと共に、図４及び図５を利用して説明した条件を満たすようにプリズム頂角α及びプリズム底角γを有している。換言すれば、プリズム頂角α及びプリズム底角γを有するように、第１の領域４４ａ１，４４ｂ１及び第３の領域４４ａ３，４４ｂ３がｚ軸方向（或いはｙ軸方向）に対して傾斜しており、第１の領域４４ａ１，４４ｂ１及び第３の領域４４ａ３，４４ｂ３を繋ぐように第２の領域４４ａ２，４４ｂ２が形成されている。そして、上記プリズム頂角α及びプリズム底角γの条件を満たすとき、図３に示すように、ｙ軸方向と第１の領域４４ａ１，４４ｂ１がなす角度β１より第３の領域４４ａ３，４４ｂ３がなす角度β３の方がより小さくなっている。すなわち、平面状の第３の領域４４ａ３，４４ｂ３が平面状の第１の領域４４ａ１，４４ｂ１より急峻になっている。
【００４７】
角度β１，β２，β３としては、例えば、３０°，２０°、１０°が例示される。また、図３に示すように第１の領域４４ａ１第２の領域４４ａ２及び第３の領域４４ａ３のｚ軸方向の長さ、詳細には、各領域をｚ軸方向に投影した長さをｚ１，ｚ２，ｚ３としたとき、ｚ１，ｚ２，ｚ３は、例えば、２０μｍ、１５μｍ、１２．５μｍである。或いは、ｚ１，ｚ２，ｚ３は、例えば、２５μｍ、１２．５μｍ、１０μｍである。ここでは、側面４４ａ側について説明したが、側面４４ｂにおいても同様である。
【００４８】
上記光拡散板４０は、例えば次のようにして作製することができる。先ず、Ｌ／Ｄを予め所望の数値（例えば、３．５）に設定し、式（１）並びに式（２）〜式（５）を満たすように、プリズム頂角α及びプリズム底角βを規定する。これにより、平面状の第１及び第３の領域４４ａ１，４４ｂ１，４４ａ３，４４ｂ３とｙ軸方向とのなす角度が規定されることになる。第１及び第３の領域４４ａ１，４４ｂ１，４４ａ３，４４ｂ３のｚ軸方向（或いはｙ軸方向の長さ）の長さｚ１，ｚ３は、光拡散板４０の大きさに応じて決定する。そして、第１及び第３の領域４４ａ１，４４ｂ１，４４ａ３，４４ｂ３を第２の領域４４ａ２，４４ｂ２で繋いでプリズム部４２を設計する。この設計に応じて、金型を作製し、その金型を利用して、略直方体形状であって一方の側にプリズム部４２が複数形成された光拡散板４０を透明材料から成形する。ここでは、金型を利用するとしたが、例えば略直方体形状の透明材料からなる板の一端面に、微細加工技術を利用して上述したプリズム頂角及びプリズム底角を有するプリズム部４２を複数形成してもよい。
【００４９】
本実施形態の光拡散板４０では、上記プリズム部４２の形状を採用することにより、隣接する２光源３１，３１間の中央部真上及びその近傍での光拡散板４０に対する透過率の向上が図られている一方、光源３１の真上及びその近傍での光拡散板４０に対する光Ｆの透過率が抑制されている。図６及び図７を利用して具体的に説明する。
【００５０】
図６は、隣接する２光源間の中央部真上近傍でのプリズム部に入射する光の模式図である。図６では、側面４４ａに近い方の光源３１からの光Ｆが入射する場合を示している。
【００５１】
隣接する２光源３１，３１間の中央部真上及びその近傍に位置するプリズム部４２は、光源３１からｚ軸方向に約Ｌ／２（ｍｍ）及びｙ軸方向に約Ｄ（ｍｍ）ほど離れていることから、側面４４ａに近い方の光源３１からの光Ｆは、ｙ軸方向に対して傾斜してプリズム部４２に向けて伝搬する。そのため、光Ｆは、プリズム部４２の先端部から主にプリズム部４２内に入射する。側面４４ａ，４４ｂにおいて先端部の領域は、平面状の第１の領域４４ａ１であるため、光源３１から離れるにつれてプリズム部４２への入射角はより小さくなる。例えば、Ｌ／Ｄが約３．５であり、プリズム頂角αが約６０°である場合、図６に示すように、第１の領域４４ａ１への光源３１からの入射角はほぼ０°に近くなる。よって、プリズム部４２への入射の際の透過率が向上する傾向にある。
【００５２】
そして、本実施形態の光拡散板４０が有するプリズム部４２では、プリズム部４２の先端部において第１の領域４４ａ１から入射した光Ｆは、その光Ｆの入射側と反対側の側面４４ｂの第１の領域４４ｂ１でｙ軸方向に全反射するため、前方に光が向く。このように前方に光Ｆの経路が変更されることで、光拡散板４０内で従来のように光拡散が生じたとしても、隣接２光源３１，３１の中央部の真上近傍の光拡散板４０の部分から光Ｆがより多く出射され輝度の向上が図られる。また、上記のように光Ｆの経路が変更されることで、出射面４１にもより小さい入射角で入射し易い。その結果、出射面４１の透過率も向上し、更に輝度の向上が図られていることにもなる。
【００５３】
なお、図６に示すように、第１の領域４４ａ１のうち側面４４ａの第２の領域４４ａ２側で光Ｆが入射する場合もある。この場合は、入射光は、入射側と反対側の側面４４ｂにおいて反射されて出射面４１側に向かい、出射されることになる。
【００５４】
図７は、光源真上及びその近傍でプリズム部に入射する光の光線経路の模式図である。
【００５５】
図７に示すように、光源３１真上及びその近傍では、主にｙ軸に平行な方向（出射面４１の法線Ｎ方向）に沿って進行してくる光Ｆがプリズム部４２に側面４４ａ，４４ｂを介して入射する。この場合、図７に示すように、入射時の屈折又は入射した側と反対側の側面での反射により、プリズム部４２内に入射した光Ｆは、出射面４１側（前方）に向けて伝搬する。よって、光源３１真上及びその近傍においても光拡散板４０から光Ｆは出射される。ただし、第３の領域４４ａ３，４４ｂ３においては、ｙ軸方向との為す角度β３が小さく急峻であることから、光Ｆが入射しにくい。また、第３の領域４４ａ３，４４ｂ３は、プリズム部４２への入射の際の透過率が前述したように約７０％以下となっている。よって、光源３１真上及びその近傍での光拡散板４０からの光Ｆの量が抑制され、結果として、輝度の増加が抑制されることになる。
【００５６】
光拡散板４０を光源部３０上に配置して面光源装置２０を構成した場合、光源部３０からの光は、プリズム部４２を介して光拡散板４０に入射し、出射面４１から出射される。そして、光拡散板４０において光源部３０側に複数のプリズム部４２を設けていることから、隣接する２光源３１，３１間の中央部真上及びその近傍では、プリズム部４２への入射効率（或いは、入射時の透過率）が向上する。また、前述したように、隣接する２光源３１，３１間の中央部真上及びその近傍では、プリズム部４２への光Ｆの入射が先端部からになる。そして、その先端部から入射した光を全反射により出射面４１側に向けて反射させているため、入射してくる光Ｆを効率的に利用できている。そのため、隣接する２光源３１，３１間の中央部真上及びその近傍上で光拡散板４０からより多くの光を出射することができる。一方、光源３１上では、光源３１からの光が側面４４ａ，４４ｂの全領域から入射し易いため、より多く光が入射する傾向にある。しかし、上記のように、第３の領域４４ａ３，４４ｂ３を介しての光の入射を抑制していることから、光源３１上及びその近傍からの光の出射が抑制される。その結果、光拡散板４０の出射面４１において、光源３１真上及びその近傍の領域の光量が低減し、輝度の抑制が図られている。
【００５７】
従って、面光源装置２０の薄型化に伴って従来で問題として生じていた、光源上での輝度の増加及び隣接する２光源間の中央部上での輝度の低下を抑制できるため、光拡散板４０の出射面４１上での輝度ムラを抑制でき、輝度均斉度を高くすることができる。
【００５８】
更に、本実施形態では、光拡散板４０が有する複数のプリズム部４２の断面形状をほぼ同じ形状としており、光拡散板４０の両側面４０ａ，４０ｂに渡ってプリズム部４２を密に配置している。そのため、組立て時の組立誤差や、使用時などの熱膨脹などで、複数の光源３１に対して光拡散板４０の位置がずれたとしても、輝度均斉度への影響が低減されている。よって、本実施形態の光拡散板４０を用いた面光源装置２０では、安定した高い輝度均斉度を得ることができる。これにより、透過型画像表示装置１では、安定して輝度ムラを抑制した画像を表示させることが可能である。また、上述したように、複数の光源３１から光が光拡散板４０に入射した場合の輝度ムラを光拡散板４０で抑制できるので、更に拡散シートなどを削減できる。よって、面光源装置２０及び透過型画像表示装置１の構成をより簡易にすることができると共に、薄型化に資する構成となっている。
【００５９】
次に、シミュレーション結果を利用して上記光拡散板４０の作用効果について更に説明する。なお、本発明は、以下のシミュレーションで採用した構成に限定されない。
【００６０】
シミュレーションでは、光拡散板４０内での光の拡散はHenyey-Greensteinモデルで扱った。Henyey-Greensteinモデルにおいて、散乱の指向性を表すために用いられるパラメータをｇと表したとき、ｇを０．９５とした。また、平均自由工程の逆数をμとしたとき、μを３．４５４５とした。なお、シミュレーションは、Trace Pro (Lambda Research Corporation製)を使用した。上記ｇ及びμは、Trace Pro (Lambda Research Corporation製)での設定パラメータである。
【００６１】
図８は、シミュレーションを実施するためのシミュレーションモデルの模式図である。ここでは、光源３１は、ＣＣＦＬ（冷陰極蛍光ランプ）とし、光線数は２４０万本とした。光源３１の直径ｄ２は２ｍｍである。隣接する２光源３１，３１間の距離Ｌは３０ｍｍである。そして、光源３１の中心位置から距離ｄ３離れたところに全光線の反射率が９９％の反射板３３を配置した。反射板３３では、完全拡散を仮定した。距離ｄ３は４ｍｍである。また、反射板３３の長さｚ４は３０ｍｍである。この反射板３３は、図１に示したランプボックス３２の内面３２ａに対応するものである。更に、光源３１からみて反射板３３と反対側であって、光源３１の中心から距離Ｄの位置に厚さｄ１の光拡散板４０を配置した。距離Ｄは８．５７ｍｍ又は７ｍｍであり、厚さｄ１は２ｍｍである。また、光拡散板４０の屈折率ｎは１．４９であり、光拡散板４０は空気中に配置されているとし、式（１）におけるｎ０は１とした。なお、図８では模式的に光拡散板４０を表している。そして、図８に示すように、ｚ軸を規定し、光源３１直上をｚ＝０とした。更に、ｚ軸に直交する方向（図２等においてｙ軸方向）に対して観測角θの方から観測するとし、輝度ムラの角度依存性を検討した。
【００６２】
上記シミュレーションモデルを利用し、実施例として、シミュレーション１，２，３を実施した。また、比較例としてシミュレーション４を実施した。各シミュレーションについて説明する。比較例の説明においても、説明の便宜上、実施例の場合と同様の符号を利用して説明する。
【００６３】
［シミュレーション１（実施例１）］
シミュレーション１では、光拡散板４０の光源３１側に図９に示したプリズム部４２が複数形成されているとした。図９に示したプリズム部４２において、プリズム頂角α及びプリズム底角γは、式（１）及び式（２）〜式（５）に基づいて規定した。図９に示した角度β１，β２，β３は、それぞれ３０°，２０°，１０°である。また、第１の領域、第２の領域及び第３の領域をｚ軸方向に投影した長さｚ１，ｚ２，ｚ３は、２０μｍ，１２．５μｍ，１０μｍである。図９に示すようにシミュレーション１では、隣接する２つのプリズム部４２間にｚ軸方向に長さｚ５の平坦領域４５を設けた。長さｚ５はシミュレーション１では５μｍを採用した。この平坦領域４５は、光拡散板４０を実際に作製する際の作製の容易さ及び作製した光拡散板４０におけるプリズム部４２の強度を確保するためのものである。また、シミュレーション１では、離間距離Ｄとして８．５７ｍｍを採用した。この場合、Ｌ／Ｄは３．５である。
【００６４】
シミュレーション１の結果を図１０に示す。図１０は、出射角θが０°以上３０°以下の場合を示している。透過型画像表示装置１などにおいては、θ＝０°近傍での輝度がより重要となるからである。図１０において、横軸は光源３１直上からの距離であり、ｚ軸方向の位置を示している。縦軸は輝度（ａ．ｕ．）を示している。
【００６５】
［シミュレーション２（実施例２）］
シミュレーション２では、シミュレーション１の場合と同様に、図９に示したプリズム部４２が光拡散板４０の光源３１側に複数形成されているとした。ただし、シミュレーション２では、角度β１，β２，β３は、３０°，２０°，１０°であり、長さｚ１，ｚ２，ｚ３は、２５μｍ，１２．５μｍ，１０μｍである。隣接する２つのプリズム部４２，４２間に形成した平坦領域４５の長さｚ５は、シミュレーション１の場合と同様に５μｍである。また、シミュレーション２でも離間距離Ｄは８．５７ｍｍを採用した。シミュレーション２の結果を図１１に示す。図１１は、シミュレーション１の場合と同様に、出射角θが０°以上３０°以下の場合の結果を示している。図１１において、横軸及び縦軸は図１０の場合と同様である。
【００６６】
［シミュレーション３（実施例３）］
シミュレーション３においても、シミュレーション１の場合と同様に、図９に示したプリズム部４２が光拡散板４０の光源３１側に複数形成されているとした。シミュレーション３における角度β１，β２，β３及び長さｚ１，ｚ２，ｚ３は、シミュレーション１の場合と同様である。また、隣接する２つのプリズム部４２，４２間に形成した平坦領域４５の長さｚ５は、シミュレーション１の場合と同様に５μｍである。ただし、シミュレーション３では、離間距離Ｄは７ｍｍを採用した。この場合、Ｌ／Ｄは約４である。シミュレーション３の結果を図１２に示す。図１２は、シミュレーション１の場合と同様に、出射角θが０°以上３０°以下の場合の結果を示している。図１２は、シミュレーション１の場合と同様に、出射角θが０°以上３０°以下の場合の結果を示している。図１２において、横軸及び縦軸は図１０の場合と同様である。
【００６７】
［シミュレーション４（比較例）］
シミュレーション４では、光拡散板４０を直方体の板、すなわち、光拡散板４０に光源３１からの光が入射する面は平坦とした。なお、出射面４１が平坦であることは、実施例であるシミュレーション１〜３の場合と同様である。シミュレーション４では、光拡散板４０と光源３１との距離Ｄは、光拡散板４０の光源３１側の面と、光源３１との間の距離である。シミュレーション４の結果を図１３に示す。図１３は、他のシミュレーションの場合と同様に、出射角θが０°以上３０°以下の場合の結果を示している。図１３は、シミュレーション１の場合と同様に、出射角θが０°以上３０°以下の場合の結果を示している。図１３において、横軸及び縦軸は図１０の場合と同様である。
【００６８】
従来のように光拡散板４０の下側（光源３１側の面）にプリズム部４２が形成されていないシミュレーション４の結果から分かるように、隣接する２光源間の中央上の位置に対応するｚ＝−１５ｍｍ，１５ｍｍ近傍では、光源３１上の位置に対応するｚ＝０よりも輝度が大きく低下しており、輝度均斉度が低いことがわかる。
【００６９】
これに対して、シミュレーション４の場合と同様のＬ／Ｄの値を採用しているシミュレーション１，２では、観測角０〜３０°において、ｚ＝０近傍での輝度が抑制される一方、ｚ＝−１５，１５近傍での輝度の改善が図られており、結果として、輝度均斉度が向上していることがわかる。また、Ｌ／Ｄを約４とし、更に薄型化を図ったシミュレーション３においても、シミュレーション４の比較例の場合より、輝度均斉度が向上していることがわかる。すなわち、本実施形態で説明したプリズム部４２の形状を採用することによって、輝度均斉度の改善を図ることができている。
【００７０】
以上、本発明の実施形態について説明したが、本発明は上記実施形態に限定されない。図３に示したプリズム部４２では、一対の側面４４ａ，４４ｂの第１の領域４４ａ１，４４ｂ１が鋭角に交わってプリズ頂部４３が形成されているが、製造誤差などにより、プリズム部４２の先端が若干丸まっていてもよい。この場合、湾曲領域を除いた一対の第１の領域４４ａ１，４４ｂ１の平面領域を仮想的に延ばして形成される角度がプリズム頂角αに対応するとすればよい。また、側面４４ａ，４４ｂは、それぞれ第１〜第３の領域４４ａ１，４４ｂ１，４４ａ２，４４ｂ２，４４ａ３，４４ｂ３を有するとしたが、第１の領域（第１の平面部）４４ａ１，４４ｂ１及び第３の領域（第２の平面部）４４ａ３，４４ｂ３を有していればよく、プリズム部４２の大きさによっては、第２の領域４４ａ２，４４ｂ２を備えていなくても良い。逆に、第２の領域４４ａ２，４４ｂ２の部分は更に複数の平面領域を有していても良い。また、第２の領域４４ａ２，４４ｂ２は平面状としたが、第２の領域４４ａ２，４４ｂ２は湾曲していてもよい。
【００７１】
また、上記実施形態では、式（１）及び図４を利用して説明したように、プリズム頂角αは、隣接する２光源３１，３１の中央部上のプリズム部４２に光Ｆが入射した場合に、プリズム部４２の先端部内での全反射により、光Ｆが出射面４１の法線Ｎ方向に経路変更される角度である。しかしながら、これに限定されず、例えば、上記条件で既定した頂角より±１５°程度ずれていてもよい。この場合は、式（１）及び図４を利用して説明した場合のプリズム頂角に対応する角度を角度α０として、式（１）に対応する以下の式（６）により、角度α０を算出する。
【数６】
2010139700.tif 000008
そして、次の関係式を満たすプリズム頂角αを規定すればよい。
【数７】
2010139700.tif 000009
【００７２】
更に、プリズム頂角αは、隣接する２光源３１，３１の中央部上のプリズム部４２に光Ｆが入射した場合に、プリズム部４２の先端部内での全反射により、光Ｆが出射面４１側に向けて全反射されるという角度であってもよい。この場合でも、先端部での全反射によりプリズム部４２内に入射した光を有効に利用できるからである。
【００７３】
また、式（２）を利用して規定するプリズム底角γは、第３の領域４４ａ３，４４ｂ３においてｙ軸方向に進行してくる光が入射するときの透過率が７０％以下としたが、この透過率の上限は７０％に限定されない。透過率の上限値は、Ｌ／Ｄの大きさなどに応じた輝度ムラの程度に応じて、所望の輝度均斉度が得られるように設定することもできる。
【００７４】
また、上記実施形態では、プリズム頂角α及びプリズム底角γを規定し、図に示したように、第１〜第３の領域４４ａ１，４４ｂ１，４４ａ２，４４ｂ２，４４ａ３，４４ｂ３がｙ軸方向となす角度β１，β２，β３が順に小さくなっているとしたが、少なくとも側面４４ａ，４４ｂにおいてプリズム部４２の裾側が先端部側よりも急峻になっていればよい。これにより、光源３１の真上及びその近傍において、光が側面４４ａ，４４ｂにおけるプリズム部４２の裾側から光が入射する際の入射角が大きくなる。その結果、透過率が低下する等によって、上記裾側からの光の入射が抑制されるので、光源３１の真上及びその近傍での輝度の抑制を図ることができる、また、光拡散板４０の出射面４１での輝度均斉度を、従来よりも高くすることが可能である。このように、単に、側面が先端部側よりも急峻になっているプリズム部４２では、側面が出射面に略直交する方向とのなす角度が先端部側より裾側で小さくなるように側面が湾曲しているものとすることもできる。
【００７５】
また、上記実施形態では隣接するプリズム部４２，４２は密に連続して形成されているとしたが、図９に示したように、隣接するプリズム部４２，４２間に平坦領域４５が形成されていてよい。
【００７６】
更に、光制御板の一例としての光拡散板４０は、図１４のように３層構造とすることもできる。図１４に示した光拡散板５０は、本実施形態で説明したプリズム部４２を複数有するプリズムシート部５１上に、光拡散材が添加された拡散層５２及び光拡散板５０を保護する保護層５３を有する。保護層５３は、例えば、疎水性を持たせることで光拡散板５０の反りの低減を図ったり、或いは紫外線による劣化を防止する機能を有するように構成されているものである。この場合、プリズムシート部５１は、上述した透明材料のみから構成し、拡散層５２は、透明材料に拡散材を添加したものとすることができる。また、保護層５３は、上記のような反り防止を図ることができる材料を透明材料に添加する等して所定の機能を持たせた材料から構成することができる。この場合、プリズムシート部５１、拡散層５２及び保護層５３の主な材料となる透明材料は、同じであっても異なっていても良い。また、図１４に示した構成では、プリズムシート部５１及び拡散層５２から構成される部分を光拡散板とし、当該光拡散板の出射面上に保護層５３が設けられている構成でもある。
【００７７】
また、光制御板を光拡散板４０として説明したが、本発明はこれに限定されず、複数の光源から出力された光の、複数の光源が配置される平面に平行な平面内での輝度の均一性を調整する光部品であればよい。例えば、光制御板は、光拡散剤を含有しておらず透明材料からなる板の光の入射側に上述したプリズム部を複数有する輝度調整板とすることもできる。
【００７８】
また、これまでの説明では、光源部３０が有する複数の光源３１は、間隔Ｌでほぼ等間隔に配置されているとしたが、隣接する２光源３１，３１間の距離は異なっていても良い。この場合は、式（１）或いは式（６）における距離Ｌには、隣接する２光源３１，３１間の間隔の平均距離Ｌｍを使用することができる。また、プリズム部４２は、プリズム頂部４３をとおる出射面４１の法線に対して対称としたが、プリズム部４２の一対の側面４４ａ，４４ｂがそれぞれ式（１）或いは式（６）並びに式（２）〜式（５）を満たせば、必ずしも対称でなくてもよい。ただし、プリズム部４２の設計及び作製をより容易にする観点からは、対称であることが好ましい。
【図面の簡単な説明】
【００７９】
【図１】本発明に係る透過型画像表示装置の一実施形態の構成を模式的に示す断面図である。
【図２】図１に示した透過型画像表示装置に用いられる光拡散板の断面図である。
【図３】図２に示した光拡散板が有するプリズム部の拡大図である。
【図４】プリズム頂角が満たす条件を説明するための図面である。
【図５】プリズム底角が満たす条件を説明するための図面である。
【図６】隣接する２光源間の中央部上のプリズム部への光の入射及び入射後の経路を模式的に示す図面である。
【図７】光源上のプリズム部への光の入射及び入射後の経路を模式的に示す図面である
【図８】シミュレーションを実施する際のシミュレーションモデルを示す図面である。
【図９】実施例に対応するシミュレーションで使用した光拡散板のプリズム部形成側の構成を示す図面である。
【図１０】実施例１としてのシミュレーショの結果である輝度の角度依存性を示す図面である。
【図１１】実施例２としてのシミュレーショの結果である輝度の角度依存性を示す図面である。
【図１２】実施例３としてのシミュレーショの結果である輝度の角度依存性を示す図面である。
【図１３】比較例としてのシミュレーショの結果である輝度の角度依存性を示す図面である。
【図１４】光拡散板の変形例を示す模式図である。
【符号の説明】
【００８０】
１…透過型画像表示装置、１０…透過型画像表示部、２０…面光源装置、３０…光源部、３１…光源、４０…光拡散板（光制御板）、４１…出射面、４２…プリズム部、４３…プリズム頂部、４４ａ，４４ｂ…プリズム部の一対の側面、４４ａ１，４４ｂ１…第１の領域（第１の平面部）、４４ａ３，４４ｂ３…第３の領域（第２の平面部）、５０…光拡散板、α…プリズム頂角。
【図１】
2010139700.tif 000010
【図２】
2010139700.tif 000011
【図３】
2010139700.tif 000012
【図４】
2010139700.tif 000013
【図５】
2010139700.tif 000014
【図６】
2010139700.tif 000015
【図７】
2010139700.tif 000016
【図８】
2010139700.tif 000017
【図９】
2010139700.tif 000018
【図１０】
2010139700.tif 000019
【図１１】
2010139700.tif 000020
【図１２】
2010139700.tif 000021
【図１３】
2010139700.tif 000022
【図１４】
2010139700.tif 000023